(57)【要約】【課題】枠片材料を有効に利用し、また製造容易な額縁とする。【解決手段】長手方向に直交する端部とされた枠片１を、枠片１の端部と連結する他の枠片１の端部の内側のみを接触させ、または近傍に離間して直角に配置し、Ｌ字状の連結片２のそれぞれの辺を各端部で連結して四角枠を形成する。連結片２により形成されるコーナーにコーナカバー５を被覆して取付ける。これにより、四本の枠片の各端部を斜め４５°に切断し、端面処理を施す従来の額縁に比較して、枠片材料を有効に利用し、また製造容易な額縁とすることができる。【選択図】　図１
2004008479.tif 000002
【特許請求の範囲】
【請求項１】
長手方向に直交する端部とされた枠片を、該枠片の端部と連結する他の枠片の端部の内側のみを接触させ、または近傍に離間して直角に配置し、Ｌ字状の連結片のそれぞれの辺を各端部で連結して四角枠を形成するとともに、該連結片により形成されるコーナーを被覆するコーナカバーを取付けていることを特徴とする額縁。
【請求項２】
コーナカバーの各辺の先端は、その側部が細幅とされて弾性が付与され、該側部に枠片に係合する係合片が設けられていることを特徴とする請求項１記載の額縁。
【請求項３】
コーナカバーの各辺の先端両側が中央より突出してその側部が細幅とされていることを特徴とする請求項２記載の額縁。
【発明の詳細な説明】
【０００１】
【発明の属する技術分野】
この発明は、額縁に関する。
【０００２】
【従来の技術】
従来の額縁では、四本の枠片の各端部を斜め４５°に切断し、この斜めに切断した端面を接合して四角枠としていた。
【０００３】
【発明が解決しようとする課題】
従って、これら従来の額縁では、各端部を斜め４５°に切断して、その端面を接合しているために、端部処理を正確に行なわないと、見栄えのよい額縁とすることができなかった。また、通常枠片は、その幅方向に非対称であるために、端部を斜めに切断すると、枠片材料が無駄になるという課題を生じていた。
【０００４】
【課題を解決するための手段】
そこで、請求項１の発明では、長手方向に直交する端部とされた枠片を、枠片の端部と連結する他の枠片の端部の内側のみを接触させ、または近傍に離間して直角に配置し、Ｌ字状の連結片のそれぞれの辺を各端部で連結して四角枠を形成するとともに、該連結片により形成されるコーナーを被覆するコーナカバーを取付けている。
【０００５】
これにより、長尺の枠片材料を長手方向に対して直交して切断できるために、枠片材料に無駄を生じることなく有効に利用することができる。また、切断された一の枠片の端部は連結する他の枠片の端部の内側のみを接触させ、または近傍に離間して直角に配置するために、正確な端部処理を施さなくても、Ｌ字状の連結片により、四角枠が構成される。また、コーナカバーによりコーナーを被覆しているために、コーナカバーを変更することによって、種々の意匠性に富んだ額縁にすることができる。
【０００６】
請求項２の発明は、コーナカバーの各辺の先端は、その側部が細幅とされて弾性が付与され、該側部に枠片に係合する係合片が設けられている。これにより、コーナカバーを枠片に取付ける際に、細幅とされて弾性のある係合片により容易にコーナカバーを取付けることができる。
【０００７】
請求項３の発明は、請求項２に発明において、さらにコーナカバーの各辺の先端両側が中央より突出してその側部が細幅とされている。これにより、意匠性に優れた額縁とすることができる。
【０００８】
【発明の効果】
以上説明したように、請求項１の発明では、長手方向に直交する端部とされた枠片を、枠片の端部と連結する他の枠片の端部の内側のみを接触させ、または近傍に離間して直角に配置し、Ｌ字状の連結片のそれぞれの辺を各端部で連結して四角枠を形成するとともに、該連結片により形成されるコーナーを被覆するコーナカバーを取付けていることにより、枠片材料に無駄を生じることなく有効に利用することができ、また、製造容易な額縁とすることができる。
【０００９】
【発明の実施の形態】
以下、この発明の一実施例を図１〜図９を参照しながら詳細に説明する。
図１、図２は、この実施例の額縁の上部を示し、引き抜き加工または押出加工により得られた長尺の型材を、それぞれ所定の寸法に長手方向に対して直交する方向に切断している。この四本の枠片１によりフレームが形成されている。この四本の枠片１を同寸の上下枠１ａ、１ｂ（図面上１ｂは図示しない。）とこれより長く切断された左右枠１ｃ、１ｄの各端部が連結片２により連結されて方形枠とされている（図３参照）。また、枠片１の中間の何カ所かに複数のクリップ３が設けられて、収容物である絵画（カンバス）を固定可能としている。そして、フレームの各コーナーにはコーナカバー５が取付けられている。
【００１０】
この枠片１は、図４に示すように、その断面形状は中央が緩やかに膨出する前面板部１０が形成されている。また、枠片１の内端には、背面側にコ字状に折り曲がる内縁片１１が形成され、また、外端には、背面側にコ字状に折り曲がる外縁片１２が形成されている。前面板部１０の背面中央には、二条のスライド突条（外スライド突条１３、内スライド突条１４）がそれぞれ突設されている。この平行に延出された外スライド突条１３と内スライド突条１４との中間位置に、補強板１５が差し渡されて枠片１の剛性が高められている。
【００１１】
外スライド突条１３には、補強板１５よりも先端側に、所定の間隔を空けて４本の第１外小突条〜第４外小突条１３ａ〜１３ｄが内スライド突条１４に向けて突出形成されている。また、前述した補強板１５は途中で屈曲しており、外スライド突条１３の第１外小突条１３ａに対向する内スライド突条１４の側面の位置に連結している。また、内スライド突条１４には、第１外小突条〜第４外小突条１３ａ〜１３ｄに対向する側面に三本の第２内小突条〜第４内小突条１４ｂ〜１４ｄが外スライド突条１３に向けて突出形成されている。これにより第１外小突条１３ａと補強板１５、第２外小突条１３ｂと第２内小突条１４ｂ、第３外小突条１３ｃと第３内小突条１４ｃおよび第４外小突条１３ｄと第４内小突条１４ｄとがそれぞれ対向位置に形成されている。
【００１２】
そして、第１外小突条１３ａと補強板１５、第２外小突条１３ｂと第２内小突条１４ｂとにより区分された空間にＬ字状の連結片２が挿入可能とされている。また、第２外小突条１３ｂと第２内小突条１４ｂ、第３外小突条１３ｃと第３内小突条１４ｃとにより囲まれる空間にクリップ３の基部が挿入取付可能とされた第１のクリップ取付部が形成されている。また、第３外小突条１３ｃと第３内小突条１４ｃ、第４外小突条１３ｄと第４内小突条１４ｄとにより囲まれる空間にもクリップ３の基部が挿入取付可能とされていて、第２のクリップ取付部が形成されている。カンバスの厚みに対応して第１、第２の複数のクリップ取付部の何れかを選択して、クリップ３を取付可能とされている。従って、この実施例においては、厚みを相違する２種類のカンバスに対して、構成部材を変更することなく、クリップ取付片の取付位置を変更するだけで、対応することができる。
【００１３】
このような断面構成とされた四本の枠片１は、図３、図５に示すようにそれぞれの端部における第１外小突条１３ａと補強板１５、第２外小突条１３ｂと第２内小突条１４ｂとにより囲まれる空間にＬ字状の連結片２の一辺が挿入されて、ねじ１６により取付固定されている。
【００１４】
従って、長尺の型材を切断して、各枠片１を所定の長さに加工する際に、各端部を斜めに切断するなど、精密な加工を施す必要がなく、材料を有効に活用することができる。
【００１５】
コーナカバー５は、図６，図７に示すように、直交する２本の枠片１のコーナーを覆う同形の各辺４０、４１からなるＬ字状に形成されている。そして、コーナーには装飾の凹凸模様４２が付されるとともに、各辺４０、４１の先端は、両側が突出し、中央が凹んだＶ字状に形成されている。またその断面は枠片１の前面板部１０の曲線に沿って被覆するように、それぞれの辺の中央が緩やかに膨出している（図５，図８参照）。そして、コーナカバー５の各辺の両側には、コ字状に折り曲がる内縁片１１と外縁片１２を覆う内側袖片５１と外側袖片５２が連続して形成されている。さらに内側袖片５１と外側袖片５２の先端部には、枠片１を包み込むように内側に突出する係止片５３、５４が形成されていて、この係止片５３、５４が内縁片１１、外縁片１２に係合して、枠片１にコーナカバー５が取付けられている。このようにコーナカバー５は、額縁の各コーナーを被覆して、見栄えのよい額縁とされる。
【００１６】
さて、このように構成されたこの実施の形態の作用について説明する。
最初に、長尺の型材が同寸の上下枠１ａ、１ｂとこれより長い左右枠１ｃ、１ｄの所定の寸法に切断された四本の枠片１が準備される。この際、連結片２に形成したねじ孔２１に対応する部位にねじ切りされた取付孔が形成されている。まず、クリップ３を第１のクリップ取付部または、第２のクリップ取付部にそれぞれの端面から適宜数のクリップ３を取付ける。
【００１７】
次に、上下枠と左右枠の各第１外小突条と補強板１５、第２外小突条と第２内小突条とにより囲まれる空間にＬ字状の連結片２を挿入し、連結片２に形成されたねじ孔２１に取付ねじ１６を螺合してフレームを形成する。次に各コーナーにコーナカバー５を取付ける。この際、コーナカバー５の各辺の先端はＶ字状に形成されて、各辺の先端側部が細幅とされていて、弾性を有するために、湾曲する力を加えると、図９に示すように、内側袖片５１または外側袖片５２が撓んで、内縁片１１、外縁片１２に係止片５３、５４が係合することができる。
【００１８】
なお、この実施例では、各辺の先端中央をＶ字状に凹んだ例を示したが、内側袖片５１または外側袖片５２が撓んで取付け容易な構造であればよく、必ずしもＶ字状にする必要はない。例えば図１０（Ａ）に示しているように、先端中央をＵ字状としたり、図１０（Ｂ）に示しているように、両側にスリットＳを設けるなど、適宜変更して実施できる。
【図面の簡単な説明】
【図１】額縁の上部の正面図であって、１つのコーナカバー５を分離して示す。
【図２】額縁の上部の背面図であって、１つのコーナカバー５を分離して示す。
【図３】枠片の取付けを説明する分離斜視図
【図４】枠片の断面図
【図５】連結片の取付状態を示す断面図
【図６】コーナカバーの正面図
【図７】コーナカバーの背面図
【図８】第６図Ａ−Ａ線断面図
【図９】枠片にコーナカバーを取付る際の説明図
【図１０】コーナカバーの他例を示す一部の正面図
【符号の説明】
Ｃ…カンバス
１…枠片
２…連結片
５…コーナカバー
４０…辺
４１…辺
５１…内側袖片
５２…外側袖片
５３…係止片
５４…係止片
【図１】
2004008479.tif 000003
【図２】
2004008479.tif 000004
【図３】
2004008479.tif 000005
【図４】
2004008479.tif 000006
【図５】
2004008479.tif 000007
【図６】
2004008479.tif 000008
【図７】
2004008479.tif 000009
【図８】
2004008479.tif 000010
【図９】
2004008479.tif 000011
【図１０】
2004008479.tif 000012